(57)【要約】無線装置が別のサポートされているシステムで接続モードにある状態で、その無線装置がアイドルモードにある無線装置によってサポートされている１つ以上のシステムを監視する方法及び装置である。この装置は、エアインタフェース（１４）と、少なくとも２つのサポートされている電気通信システムへのアクセスを無線装置に提供する少なくとも２つのアクセス手段（１６、１８）と、エアインタフェースへの接続（３０）と、少なくとも２つのアクセス手段への複数の接続（３２、３４、３６）を有する回路（２６）とを備える。この回路は、エアインタフェース接続と、無線装置が接続モードにあるシステムへのアクセスを無線装置に提供するアクセス手段への接続との間を低減衰状態にし、また、この回路は、更に、回路に少なくとも２つの状態を設定する手段を含み、ここで、少なくとも２つの状態それぞれは、エアインタフェース接続と、少なくとも２つの接続手段への複数の接続の１つとの間を異なる減衰状態にする。
2006500881.tif 000002
【特許請求の範囲】
【請求項１】
無線装置が別のサポートされているシステムで接続モードにある状態で、前記無線装置がアイドルモードにある、前記無線装置を使用する１つ以上のサポートされているシステムを監視する装置であって、
エアインタフェースと、
前記少なくとも２つのサポートされているシステムへのアクセスを有する前記無線装置に提供する前記少なくとも２つのサポートされているシステムに関連する少なくとも２つのアクセス手段と、
回路とを備え、この回路は、前記エアインタフェースへの接続と、前記少なくとも２つのアクセス手段への複数の接続を含み、前記回路は、前記エアインタフェース接続と、前記無線装置が接続モードにあるサポートされているシステムに関連する前記アクセス手段への前記複数の接続との間を低減衰状態にし、前記回路は、更に、前記回路に少なくとも２つの状態を設定する手段を含み、ここで、前記少なくとも２つの状態それぞれは、前記エアインタフェース接続と、前記少なくとも２つの接続手段への前記複数の接続の１つとの間を異なる減衰状態にする
ことを特徴とする装置。
【請求項２】
前記回路は、更に、接続モードにある前記システムに関連する前記アクセス手段への前記接続と、アイドル状態にある前記少なくとも２つのシステムの内の１つのシステムの受信機への前記エアインタフェース上に存在する送信信号を減衰し、ここで、アイドル状態にある前記少なくとも２つのシステムの内の１つのシステムは、前記エアインタフェースを監視する
ことを特徴とする請求項１に記載の装置。
【請求項３】
前記回路は、更に、前記エアインタフェース接続と、アイドル状態にある前記少なくとも２つのシステムの内の１つのシステムの受信機への接続との間を低減衰状態にする
ことを特徴とする請求項１に記載の装置。
【請求項４】
前記少なくとも２つのシステムは、ＧＳＭシステムを含んでいる
ことを特徴とする請求項１に記載の装置。
【請求項５】
前記少なくとも２つのシステムは、ＷＣＤＭＡシステムを含んでいる
ことを特徴とする請求項１に記載の装置。
【請求項６】
前記回路は、更に、ダイプレクサを含み、前記設定手段は、スイッチを備える
ことを特徴とする請求項１に記載の装置。
【請求項７】
前記少なくとも２つのシステムは、ＧＳＭシステムとＷＣＤＭシステムを備え、前記設定手段は、前記回路を第１状態に設定し、これは、前記回路が、前記エアインタフェース接続と、前記ＷＣＤＭＡシステムの受信機／送信機への接続との間を低減衰状態にし、かつ前記エアインタフェース接続と、前記ＧＳＭシステムの受信機への接続との間を低減衰状態にし、前記設定手段は、前記回路を第２状態に設定し、これは、前記回路が、前記エアインタフェース接続と、前記ＧＳＭシステムの送信機への接続との間で低減衰状態となっている
ことを特徴とする請求項１に記載の装置。
【請求項８】
前記回路が前記第１状態である場合、前記回路は、前記ＷＣＤＭＡシステムから前記ＧＳＭシステムの前記受信機への接続に向かう送信信号を減衰し、そうすることで、前記ＧＳＭシステムの前記受信機はブロックされず、また、前記回路が前記第２状態である場合、前記ＧＳＭシステムから前記ＷＣＤＭＡ受信機／送信機への接続に向かう送信信号を減衰し、そうすることで、前記ＷＣＤＭＡシステムの前記受信機はブロックされない
ことを特徴とする請求項７に記載の装置。
【請求項９】
前記ＷＣＤＭＡシステムの前記受信機は自動ゲイン制御（ＡＧＣ）を含み、かつ前記回路は、更に、前記ＧＳＭシステムが接続状態にある場合に、前記ＷＣＤＭＡの受信機の特性を変更する手段を含んでいる
ことを特徴とする請求項７に記載の装置。
【請求項１０】
接続状態にある前記システムは、前記回路を制御する
ことを特徴とする請求項１に記載の装置。
【請求項１１】
無線装置であって、
エアインタフェースと、
ＧＳＭ電気通信システムに関連する受信機及び送信機と、
ＷＣＤＭＡ電気通信システムに関連する受信機／送信機と、
前記エアインタフェースへの接続、前記ＷＣＤＭＡシステムに関連する前記受信機／送信機への接続、前記ＧＳＭシステムに関連する前記受信機への接続及び前記ＧＳＭシステムに関連する前記送信機への接続を含む回路とを備え、前記回路は、更に、前記回路を第１及び第２状態に設定する設定手段を含み、前記第１状態では、前記回路は、前記エアインタフェース接続と、前記ＷＣＤＭＡシステムに関連する前記受信機／送信機への接続との間を低減衰状態にし、かつ前記エアインタフェース接続と、前記ＧＳＭシステムに関連する前記受信機への接続との間で低減衰状態となり、また、前記第２状態では、前記回路は、前記エアインタフェース接続と、前記ＧＳＭシステムに関連する前記送信機への接続との間で低減衰状態となっている
ことを特徴とする無線装置。
【請求項１２】
前記第１状態では、前記回路は、前記ＷＣＤＭＡシステムから前記ＧＳＭシステムに関連する前記受信機への接続に向かう送信信号を減衰し、そうすることで、前記ＧＳＭ受信機はブロックされず、また、前記第２状態では、前記ＧＳＭシステムから前記ＷＣＤＭＡシステムに関連する前記受信機／送信機への接続に向かう送信信号を減衰し、そうすることで、前記ＷＣＤＭＡシステムに関連する前記受信機はブロックされない
ことを特徴とする請求項１１に記載の無線装置。
【請求項１３】
前記ＷＣＤＭＡシステムに関連する前記受信機は、自動ゲイン制御（ＡＧＣ）を含み、かつ前記回路は、更に、前記ＧＳＭシステムが接続状態にある場合に、前記受信機の特性を変更する手段を含んでいる
ことを特徴とする請求項１１に記載の無線装置。
【請求項１４】
前記設定手段はスイッチを備え、前記回路は、更に、ダイプレクサを含んでいる
ことを特徴とする請求項１１に記載の無線装置。
【請求項１５】
前記ダイプレクサは、前記エアインタフェース接続、前記ＷＣＤＭＡシステムに関連する前記送信機／受信機、及び前記スイッチに接続され、前記スイッチは、第１状態で前記ＧＳＭシステムに関連する前記受信機に接続され、また、前記第２状態で前記ＧＳＭシステムに関連する前記送信機に接続される
ことを特徴とする請求項１４に記載の無線装置。
【請求項１６】
前記無線装置は、セルラー電話を備える
ことを特徴とする請求項１１に記載の無線装置。
【請求項１７】
無線装置が別の電気通信システムについての接続モードにある状態で、前記無線装置がアイドルモードにある電気通信システムを監視する方法であって、
エアインタフェース接続と、前記無線装置によってサポートされている少なくとも２つの電気通信システムに関連する少なくとも２つのアクセス手段への複数の接続を有する回路を提供し、
前記回路に少なくとも２つの状態の１つを設定し、ここで、各状態は、前記エアインタフェース接続と、前記複数の接続の１つの間を異なる減衰状態にする
ことを特徴とする方法。
【請求項１８】
前記回路は、前記エアインタフェース接続と、前記無線装置が接続状態にある前記少なくとも２つのシステムの内の１つのシステムに関連する前記アクセス手段への接続との間を低減衰状態にする
ことを特徴とする請求項１７に記載の方法。
【請求項１９】
前記回路は、前記エアインタフェース接続と、前記無線装置がアイドルモードにある前記少なくとも２つのシステムの内の１つのシステムの受信機への接続との間を低減衰状態にする
ことを特徴とする請求項１８に記載の方法。
【請求項２０】
前記回路は、接続モードの前記システムから、前記無線装置がアイドルモードにある前記少なくとも２つのシステムの内の１つのシステムの受信機への送信信号を減衰する
ことを特徴とする請求項１８に記載の方法。
【請求項２１】
前記少なくとも２つのシステムは、ＷＣＤＭＡシステムとＧＳＭシステムを備える
ことを特徴とする請求項１７に記載の方法。
【請求項２２】
前記ＷＣＤＭＡシステムに関連する受信機は、自動ゲイン制御（ＡＧＣ）を含み、かつ前記方法は、更に、前記無線装置が前記ＧＳＭシステムについての接続状態にある場合に、前記受信機の特性を変更する
ことを特徴とする請求項２１に記載の方法。
【請求項２３】
更に、前記少なくとも２つの電気通信システムの内の第２のシステムを介する通信を実行している状態で、前記少なくとも２つの電気通信システムの内の少なくとも第１のシステムを監視するステップを備える
ことを特徴とする請求項１７に記載の方法。
【請求項２４】
更に、接続モードにあるシステムによって前記回路を制御するステップを備える
ことを特徴とする請求項２１に記載の方法。
【発明の詳細な説明】
【技術分野】
【０００１】
技術分野
本発明は、一般的には、無線電気通信の分野に関するものであり、より詳しくは、無線装置が別のシステムで接続モードにある状態で、その無線装置がアイドルモードにある１つ以上の電気通信システムを監視する方法及び装置に関するものである。
【０００２】
関連技術の説明
移動電話のような無線装置は、たいていは、マルチプル（複数の：multiple）電気通信システム、例えば、システム標準のＧＳＭ（移動通信用グローバルシステム）及びＷＣＤＭＡ（広帯域符号分割多重アクセス）をサポートしている。このような無線装置があるサポートされているシステムに関して接続モードにある場合、その無線装置は、自身がアイドルモードにある、１つ以上の他のサポートされているシステムを監視する必要がある。例えば、あるシステムにおいて電話発呼中（接続モード）の移動電話は、接続しているシステムとアイドル状態のシステム（idle system）の間でのハンドオーバに備えるために、自身がアイドルモードにある他のシステムを監視する必要がある。このような状況では、無線装置は、自身のエアインタフェースを介して、接続しているシステムと１つ以上のアイドル状態のシステムにアクセスできるようにしなければならない。
【０００３】
無線装置が接続モードにあることに関しては、無線装置は、エアインタフェースを介して、ユーザデータを送受信し、かつ接続モードにあるシステムに関連する受信機を使用して、その接続モードにあるシステムの環境についての情報を取得する。無線装置がアイドルモードにあることに関しては、無線装置は、アイドルモードにあるシステムに関連する受信機を使用して、そのアイドルモードにあるシステムの環境についての情報を取得する。このような状況では、接続モードにあるシステムに関連する送信機からのエアインタフェース上の送信信号は、そのシステムの受信機でブロックあるいは干渉される可能性がある、このシステムは、適切な予防措置が取られていない限りアイドルモードにある。
【０００４】
この干渉問題を解消するために知られている方法の１つには、無線装置が接続モードにあるシステムが送信ギャップ、例えば、ＧＳＭのアイドルフレームあるいはＷＣＤＭＡの圧縮モードをサポートしていることを認識するものがある。このような方法では、無線装置は、この送信ギャップを使用して、無線装置が干渉することなくアイドルモードにあるシステムについてのエアインタフェースを監視する。
【０００５】
干渉問題を解消するために知られているもう１つの方法は、サポートされているシステムのそれぞれに対して、複数のアンテナを無線装置に提供することであり、そうすることで、エアインタフェースを介して、それぞれのシステムに独立してアクセスすることができる。
【０００６】
送信ギャップを利用する方法は、１つ以上のアイドル状態のシステムと、接続しているシステムが同期していることを必要とする。例えば、デュアルシステムＧＳＭ／ＷＣＤＭＡ装置では、ＧＳＭシステムを監視するために、ＷＣＤＭＡシステムのＷＣＤＭＡ圧縮モードギャップの時間を把握していることが必要とされる。この必要生は、無線装置全体の複雑度を増してしまう。また、いくつかのシステムに対しては、送信ギャップは、ネットワークパフォーマンスに逆効果を与えてしまう。例えば、ＷＣＤＭＡの圧縮モードギャップは、システムの容量を削減し、一方で、さほど重要ではないが、ＧＳＭのアイドルフレームもシステムに影響を与えてしまう。更なる欠点は、各送信ギャップは、監視のための制限時間だけを与えて、かつその送信ギャップはシステムで定義される制限レートでしか利用可能できないことである。
【０００７】
無線装置によってサポートされる各システムに対して異なるアンテナを利用する方法は、エアインタフェースを介して干渉を解消するために、アンテナ同士を離す必要がある。無線装置のアンテナを離す必要性は、装置の機械的な設計の選択肢を制限してしまう、これは、アンテナは、通常、できる限り離されることを必要とするからである。また、いくつかの無線装置では、ある共通の無線周波数インタフェースで利用可能なサポートされているシステムのすべてに対するエアインタフェース信号を持つことが望ましい。このことは、例えば、無線装置と車載外部アンテナ間で、ある無線周波数インタフェースだけを許容する外部アンテナを有する車において望ましい。
【０００８】
従って、無線装置が別のシステムに関して接続モードにある状態で、その無線装置がアイドルモードにある１つ以上のシステムを監視する方法及び装置が必要とされており、また、送信ギャップを使用する必要がなく、かつエアインタフェース干渉を取るに足らないもの（negligible）にする方法及び装置が必要とされている。
【０００９】
本発明の要約
本発明は、無線装置が別のサポートされているシステムで接続モードにある状態で、その無線装置がアイドルモードにある無線装置でサポートされている１つ以上の電気通信システムを監視する方法及び装置を提供する。
【００１０】
特に、少なくとも２つの電気通信システムをサポートすることができる無線装置においては、無線装置が別のサポートされているシステムで接続モードにある状態で、その無線装置がアイドルモードにある、１つ以上のサポートされているシステムを監視する装置が提供される。本発明の実施形態に従えば、この装置は、エアインタフェースと、少なくとも２つのサポートされているシステムへのアクセスを無線装置に提供する少なくとも２つのサポートされている電気通信システムに関連する少なくとも２つのアクセス手段と、エアインタフェースへの接続と、少なくとも２つのアクセス手段への複数の接続を有する回路を備える。この回路は、エアインタフェース接続と、無線装置が接続モードにあるサポートされているシステムに関連するアクセス手段への複数の接続との間を低減衰状態にし、回路は、更に、回路に少なくとも２つの状態を設定する手段を含み、ここで、少なくとも２つの状態それぞれは、エアインタフェース接続と、少なくとも２つのアクセス手段への複数の接続の１つとの間を異なる減衰状態にする。
【００１１】
本発明の実施形態を用いると、無線装置によってサポートされている少なくとも２つの電気通信システムの１つが接続モードである場合、回路は、エアインタフェース接続と、接続モードにあるシステムに関連するアクセス手段への接続間を低減衰状態にする。同時に、回路は、エアインタフェースと、少なくとも２つのシステムに関連するアクセス手段への接続との間の減衰状態を制御することで、アイドル状態のシステムを監視することを可能にする。本発明に従う装置を用いると、システムの１つが接続モードである場合に、無線装置におけるマルチプルシステムの同期を取る必要がない、加えて、この装置は、接続しているシステムと任意のアイドル状態のシステム間のエアインフェース干渉を取るに足らないものにする。
【００１２】
本発明の実施形態に従えば、回路は、接続モードにあるシステムに関連するアクセス手段への接続と、任意のアイドル状態にあるシステムに関連するアクセス手段の受信機へのエアインタフェース接続において存在する送信信号を減衰し、そうすることで、受信機はブロックされず、かつ正常に動作する。
【００１３】
本発明の更なる実施形態に従うと、少なくとも２つの電気通信システムは、ＷＣＤＭＡシステムとＧＳＭシステムを備え、回路はダイプレクサを含み、状態設定手段は、第１及び第２状態間を制御可能なスイッチを備える。本発明の更なる実施形態においては、ＷＣＤＭＡ受信機のＡＧＣの応答を変更して、それを早めたり遅らせたりすることによって、ＧＳＭ発呼中の自動ゲイン制御（ＡＧＣ）を有するＷＣＤＭＡ受信機を制御する方法が提供される。
【００１４】
本発明の実施形態の更なる効果及び詳細は、図面とともに以下に示される詳細説明から明らかになるであろう。
【００１５】
本発明の実施形態の詳細説明
図１は、本発明の実施形態に従う、無線装置が別のシステムに関して接続モードにある状態で、その無線装置がアイドルモードにある電気通信システムを監視する装置を示すブロック図である。この装置は、通常は、参照番号１０によって示され、かつ移動電話のような、無線装置１２内に提供される、これは、ＧＳＭ電気通信システム及びＷＣＤＭＡ電気通信システムの両方をサポートする。図１に示されるように、装置１０は、無線装置１２のエアインタフェース１４と、ＷＣＤＭＡシステムとＧＳＭシステムそれぞれのアクセスを有する無線装置を提供するアクセス手段１６及び１８を含んでいる。アクセス手段１６は、ＷＣＤＭＡ受信機／送信機２０を備え、アクセス手段１８は、ＧＳＭ受信機２２及びＧＳＭ送信機２４を含んでいる。装置１０は、更に、インタフェース１４及びアクセス手段１６及び１８間の回路２６を含んでいる。回路２６は、エアインタフェースへの接続３０、ＷＣＤＭＡ受信機／送信機２０への接続３２、ＧＳＭ受信機２２への接続３４及びＧＳＭ送信機２４への接続３６を含んでいる。図１に示されるように、回路２６は、２つの異なる状態を設定することができ、これは、状態Ａ及び状態Ｂで示される。回路２６の状態は、それに接続されているシステムによって制御される。例えば、無線装置１２がＷＣＤＭＡ発呼中である場合、ＷＣＤＭＡシステムは回路２６を制御する。
【００１６】
装置１０の回路２６は状態Ａにある場合、回路は、ＷＣＤＭＡ受信／送信信号に対し、ＷＣＤＭＡ  ＲＸ／ＴＸ２０への接続３２と、エアインタフェース接続３０の間を低減衰状態にする（provides a low attenuation）。加えて、回路は、ＧＳＭ受信信号に対する、ＧＳＭ受信機２２への接続３４とインタフェース接続３０間を低減衰状態にする。また、状態Ａでは、回路２６は、ＷＣＤＭＡ  ＲＸ／ＴＸ接続３２及びエアインタフェース接続３０、更に、それに続く、ＧＳＭ  ＲＸ接続３４に存在する、ＷＣＤＭＡ送信信号を減衰する。ＷＣＤＭＡ送信信号の減衰は、ＧＳＭ受信機をブロックしないために必要とされ、そうすることで、ＧＳＭ受信機は適切に動作する。
【００１７】
回路２６が状態Ｂにある場合、回路は、ＧＳＭ送信信号に対する、ＧＳＭ  ＴＸ接続３６とエアインタフェース接続３０間を低減衰状態にする。また、回路２６は、ＧＳＭ  ＴＸ接続３６及びエアインタフェース接続３０、更に、それに続く、ＷＣＤＭＡ  ＲＸ／ＴＸ接続３２に存在する、ＧＳＭ送信信号を減衰する。ＧＳＭＴＸ信号の減衰は、ＷＣＤＭＡ受信機をブロックしないために必要とされ、そうすることで、ＷＣＤＭＡ受信機は適切に動作する。
【００１８】
図２は、本発明の他の実施形態に従う、図１の装置１０の構成を示すブロック図である。この構成では、回路は、スイッチとダイプレクサ（diplexer）の組み合わせを含んでいる。特に、図２の構成では、装置１０ａは、回路２６ａを有する無線装置１２ａ内に提供され、この回路２６ａはダイプレクサ４２ａとスイッチ４４ａを含んでいる。ダイプレクサ４２ａは、エアインタフェース接続３０を介してエアインタフェース１４に接続され、かつ接続３２を介してＷＣＤＭＡ受信機／送信機２０に接続されている。ダイプレクサ４２ａは、また、接続４８によってスイッチ４４ａに接続されていて、スイッチ４４ａは接続３４を介してＧＳＭ受信機２２に接続され、かつ接続３６を介してＧＳＭ送信機２４に接続されている。
【００１９】
スイッチ４４ａは、２つの状態（位置）の間で動作可能である。状態Ａでは、ダイプレクサ４２ａは、接続３４を介してＧＳＭ受信機２２に接続され、状態Ｂでは、ダイプレクサは、接続３６を介してＧＳＭ送信機２４に接続される。ＧＳＭシステムはスイッチ４４ａを制御することによって、無線装置１２ａがＧＳＭ信号を送信しない場合には、スイッチ４４ａが状態Ａになる。
【００２０】
装置１０ａでは、無線装置１２ａがＷＣＤＭＡ発呼中（即ち、無線装置がＷＣＤＭＡシステムと接続状態にある）である場合、その回路２６ａは状態Ａに設定される。状態Ａでは、ＷＣＤＭＡ受信機／送信機２０は、低減衰状態でのエアインタフェース１４へのアクセスを可能にして、信号を送受信する。加えて、ＧＳＭ受信機２２は、低減衰状態でのエアインタフェース１４へのアクセスを持っている、そうすることで、エアインタフェースを監視できる。また、ＷＣＤＭＡ送信信号は、ＧＳＭ受信機接続において減衰される、その結果、ＧＳＭ受信機はブロックされることはなく、かつＷＣＤＭＡ送信機からの無線（air）干渉をブロックすることなく監視を実行することができる。
【００２１】
無線装置１２ａがＧＳＭ発呼中（即ち、無線装置がＧＳＭシステムと接続状態にある）である場合、その回路２６ａは状態Ａと状態Ｂ間を交互に切り替える。ＧＳＭアップリンクバーストの送信中のみ、回路は状態Ｂになる、そうすることで、ＧＳＭアップリンクバーストは、低減衰状態でのエアインタフェースへ到達する。残りの時間は、回路は状態Ａになる、そうすることで、ＧＳＭダウンリンクバーストは低減衰状態で受信できる。これが可能になるのは、ＧＳＭが、異なる時間で受信及び送信を行うＴＤＭＡ（時分割多重アクセス）システムであるからである。
【００２２】
無線装置１２ａがＧＳＭ発呼（即ち、無線装置がＧＳＭシステムと接続状態にある）中で、かつ回路２６ａが状態Ａであると、ＷＣＤＭＡ受信機も低減衰状態のエアインタフェース１４へのアクセスを持つ、そうすることで、エアインタフェースを監視することができる。状態Ａにある回路でＧＳＭ送信信号は存在しない。
【００２３】
無線装置１２が、状態Ｂにある回路２６でＧＳＭ発行中であると、ＷＣＤＭＡ受信機は、回路の構成に依存して、低減衰状態でエアインタフェースへのアクセスを持ったり、あるいは持たなかったりする。例えば、図２の回路２６ａは、ＷＣＤＭＡ受信機に対して、低減衰状態のアクセスを提供する。ＧＳＭ送信信号がＷＣＤＭＡ受信機／送信機接続３２で減衰されると、ＷＣＤＭＡ受信機は、ＧＳＭ送信機によってブロックされることはない。状態Ｂが、ＷＣＤＭＡ受信機に対して、低減衰状態でのエアインタフェースへのアクセスを提供する場合（図２の回路２６ａが使用される場合）、ＷＣＤＭＡ受信機は、状態Ａにあるエアインタフェースを監視することができる。一方、状態ＢがＷＣＤＭＡ受信機に対して低減衰状態でのエアインタフェースへのアクセスを提供しない場合、監視されている信号は、状態ＢのＷＣＤＭＡ受信機に対してより減衰して現れる。これは、ＷＣＤＭＡ受信機によって監視される信号は、ＧＳＭ発呼中では、ＧＳＭシステムが受信中あるいは送信中であるかに依存して電力レベルの変動が発生することになる。
【００２４】
従って、図１の装置の回路のいくつかの実現に対し、エアインタフェースを監視するＷＣＤＭＡ受信機でのＧＳＭ発呼中では、ＷＣＤＭＡ受信機への受信信号電力は、断続的に著しく減衰することになる。このような属性の信号は、ＡＧＣ（自動ゲイン制御）を有する受信機に入力される場合には、受信機のＡＧＣ機能を中断する、そうすることで、不適切なゲイン、あるいは定常的なゲイン変動が、監視を抑制するあるいは低下させる。検出器フィルタでの、オーバフロー、アンダーフロー、及び異常（improper）平均の少なくともいずれかの監視が抑制される及び／あるいは低下する可能性がある。
【００２５】
本発明の実施形態に従えば、ＷＣＤＭＡ受信機のＡＧＣの応答を変更することによって、例えば、それを早めたり遅らせたりすることによって、ＡＧＣを有するＷＣＤＭＡ受信機をＧＳＭ発呼中に制御することができる。
【００２６】
図３は、本発明の別の実施形態に従う、無線装置が別のシステムに関して接続モードにある状態で、その無線装置がアイドルモードにある電気通信システムを監視する方法を示すフローチャートである。
【００２７】
この方法は、通常は、参照番号１００によって示され、エアインタフェース接続と、無線装置によってサポートされる少なくとも２つの電気通信システムに関連する少なくとも２つのアクセス手段への複数の接続を有する回路を有する無線装置を提供する（ステップ１１０）。この方法は、更に、その回路を少なくとも２つの状態の１つに設定し、ここで、各状態は、エアインタフェース接続と複数の接続の１つとの間を異なる減衰状態にする（ステップ１２０）。この方法では、低減衰状態が、エアインタフェース接続と、無線装置が接続モードにある少なくとも２つのシステムのうちの１つに関連するアクセス手段への接続との間で提供できる。同時に、この回路は、エアインタフェース接続と、無線装置がアイドルモードにある少なくとも２つのシステムのうちの１つに関連するアクセス手段への接続との間の減衰状態を制御することで、アイドル状態のシステムの監視を可能にする。
【００２８】
本発明は、図で示される特定の回路に限定されるべきでないことが理解されるべきである。例えば、この回路は、共通の無線周波数インタフェース（エアインタフェース接続用）を持つ回路、また、エアインタフェース接続と、接続されているシステムに関連する接続手段への接続との間を低減衰状態にする回路、また、接続されているシステムに関連するアクセス手段から、アイドルモードのシステムの受信機に関連するアクセス手段への送信信号を減衰する回路、また、２つ以上のモードを設定することができる回路とすることができ、ここで、モード間の違いは、エアインタフェース接続と別の接続との間での減衰の変化である。
【００２９】
本発明に従う装置は、複数のシステムをサポートするあらゆる無線装置で使用することができる。この回路を使用する汎用的な方法は、この回路を、エアインタフェース接続と、接続モードにあるシステムに関連するアクセス手段への接続との間を低減衰状態のモードに設定し、ここで、ＴＤＭＡシステムに対しては、継続的に回路モードを変更しても良い。ここで、この汎用的な方法は、回路内の継続的な減衰状態の変更に起因する、任意のアイドルモード監視システムでの受信機のＡＧＣ応答の変動を含んでいる。
【００３０】
本発明の別の実施形態に従う、無線装置が別のシステムに関して接続モードにある状態で、その無線装置がアイドルモードにある１つ以上のシステムを監視する装置を用いると、複数の規格をサポートする複数のシステム間の同期が必要なくなる。例えば、ＧＳＭアクセス手段と、ＧＳＭ／ＷＣＤＭＡデュアルモード無線装置のＷＣＤＭＡアクセス手段との同期は必要ない、また、ＷＣＤＭＡで圧縮モードを実現する必要はない、これにより、ＷＣＤＭＡシステム容量の低下を防止し、無線装置の設計を簡略化する。
【００３１】
本発明の実施形態では、無線装置が接続モードにあるシステムと、無線装置がアイドルモードにあるシステムとの間のエアインタフェース干渉を無視することができる。例えば、ＷＣＤＭＡと、ＧＳＭ／ＷＣＤＭＡ無線装置構成内のＧＳＭ間の干渉は無視できる。
【００３２】
本発明の実施形態と同等のものが説明される一方で、本発明は、それから逸脱しないで、様々な方法で変更することができることが理解されるべきである。従って、本発明は、請求項の範囲によって必要とされる範囲のみに限定されるべきであることが理解されるべきである。
【図面の簡単な説明】
【００３３】
【図１】本発明の実施形態に従う、無線装置が別のシステムで接続モードにある状態で、その無線装置がアイドルモードにある電気通信システムを監視する装置を示すブロック図である。
【図２】本発明の別の実施形態に従う図１の装置の構成を示すブロック図である。
【図３】本発明の別の実施形態に従う、無線装置が別のシステムで接続モードにある状態で、その無線装置がアイドルモードにある電気通信システムを監視する方法を示すフローチャートである。
【図１】
2006500881.tif 000003
【図２】
2006500881.tif 000004
【図３】
2006500881.tif 000005
【手続補正書】
【提出日】平成16年7月5日(2004.7.5)
【手続補正１】
【補正対象書類名】特許請求の範囲
【補正対象項目名】全文
【補正方法】変更
【補正の内容】
【特許請求の範囲】
【請求項１】
無線装置が別のサポートされているシステムで接続モードにある状態で、前記無線装置がアイドルモードにある、前記無線装置を使用する１つ以上のサポートされているシステムを監視する装置であって、
エアインタフェース（１４）と、
前記少なくとも２つのサポートされているシステムへのアクセスを有する前記無線装置に提供する前記少なくとも２つのサポートされているシステムに関連する少なくとも２つのアクセス手段（１６、１８）と、
回路（２６）とを備え、この回路は、
前記エアインタフェースへの接続（３０）と、
前記少なくとも２つのアクセス手段への複数の接続（３２、３４、３６）を含み、前記回路は、前記エアインタフェース接続と、前記無線装置が接続モードにあるサポートされているシステムに関連する前記アクセス手段への前記複数の接続との間を低減衰状態にし、
前記回路に少なくとも２つの状態を設定する手段を含み、ここで、前記少なくとも２つの状態それぞれは、前記エアインタフェース接続と、前記少なくとも２つの接続手段への前記複数の接続の１つとの間を異なる減衰状態にする
ことを特徴とする装置。
【請求項２】
前記回路は、更に、接続モードにある前記システムに関連する前記アクセス手段への前記接続と、アイドル状態にある前記少なくとも２つのシステムの内の１つのシステムの受信機への前記エアインタフェース上に存在する送信信号を減衰し、ここで、アイドル状態にある前記少なくとも２つのシステムの内の１つのシステムは、前記エアインタフェースを監視する
ことを特徴とする請求項１に記載の装置。
【請求項３】
前記回路は、更に、前記エアインタフェース接続と、アイドル状態にある前記少なくとも２つのシステムの内の１つのシステムの受信機への接続との間を低減衰状態にする
ことを特徴とする請求項１に記載の装置。
【請求項４】
前記少なくとも２つのシステムは、ＧＳＭシステムを含んでいる
ことを特徴とする請求項１に記載の装置。
【請求項５】
前記少なくとも２つのシステムは、ＷＣＤＭＡシステムを含んでいる
ことを特徴とする請求項１に記載の装置。
【請求項６】
前記回路は、更に、ダイプレクサを含み、前記設定手段は、スイッチを備える
ことを特徴とする請求項１に記載の装置。
【請求項７】
前記少なくとも２つのシステムは、ＧＳＭシステムとＷＣＤＭシステムを備え、前記設定手段は、前記回路を第１状態に設定し、これは、前記回路が、前記エアインタフェース接続と、前記ＷＣＤＭＡシステムの受信機／送信機への接続との間を低減衰状態にし、かつ前記エアインタフェース接続と、前記ＧＳＭシステムの受信機への接続との間を低減衰状態にし、前記設定手段は、前記回路を第２状態に設定し、これは、前記回路が、前記エアインタフェース接続と、前記ＧＳＭシステムの送信機への接続との間で低減衰状態となっている
ことを特徴とする請求項１に記載の装置。
【請求項８】
前記回路が前記第１状態である場合、前記回路は、前記ＷＣＤＭＡシステムから前記ＧＳＭシステムの前記受信機への接続に向かう送信信号を減衰し、そうすることで、前記ＧＳＭシステムの前記受信機はブロックされず、また、前記回路が前記第２状態である場合、前記ＧＳＭシステムから前記ＷＣＤＭＡ受信機／送信機への接続に向かう送信信号を減衰し、そうすることで、前記ＷＣＤＭＡシステムの前記受信機はブロックされない
ことを特徴とする請求項７に記載の装置。
【請求項９】
前記ＷＣＤＭＡシステムの前記受信機は自動ゲイン制御（ＡＧＣ）を含み、かつ前記回路は、更に、前記ＧＳＭシステムが接続状態にある場合に、前記ＷＣＤＭＡの受信機の特性を変更する手段を含んでいる
ことを特徴とする請求項７に記載の装置。
【請求項１０】
接続状態にある前記システムは、前記回路を制御する
ことを特徴とする請求項１に記載の装置。
【請求項１１】
前記少なくとも２つのアクセス手段は、
ＧＳＭ電気通信システムに関連する受信機及び送信機と、
ＷＣＤＭＡ電気通信システムに関連する受信機／送信機と
を備えることを特徴とする請求項１に記載の装置。
【請求項１２】
前記第１状態では、前記回路は、前記ＷＣＤＭＡシステムから前記ＧＳＭシステムに関連する前記受信機への接続に向かう送信信号を減衰し、そうすることで、前記ＧＳＭ受信機はブロックされず、また、前記第２状態では、前記ＧＳＭシステムから前記ＷＣＤＭＡシステムに関連する前記受信機／送信機への接続に向かう送信信号を減衰し、そうすることで、前記ＷＣＤＭＡシステムに関連する前記受信機はブロックされない
ことを特徴とする請求項１１に記載の装置。
【請求項１３】
前記ＷＣＤＭＡシステムに関連する前記受信機は、自動ゲイン制御（ＡＧＣ）を含み、かつ前記回路は、更に、前記ＧＳＭシステムが接続状態にある場合に、前記受信機の特性を変更する手段を含んでいる
ことを特徴とする請求項１１に記載の装置。
【請求項１４】
前記設定手段はスイッチを備え、前記回路は、更に、ダイプレクサを含んでいる
ことを特徴とする請求項１１に記載の装置。
【請求項１５】
前記ダイプレクサは、前記エアインタフェース接続、前記ＷＣＤＭＡシステムに関連する前記送信機／受信機、及び前記スイッチに接続され、前記スイッチは、第１状態で前記ＧＳＭシステムに関連する前記受信機に接続され、また、前記第２状態で前記ＧＳＭシステムに関連する前記送信機に接続される
ことを特徴とする請求項１４に記載の装置。
【請求項１６】
前記装置は、セルラー電話を備える
ことを特徴とする請求項１１に記載の装置。
【請求項１７】
無線装置が別の電気通信システムについての接続モードにある状態で、前記無線装置がアイドルモードにある電気通信システムを監視する方法であって、
エアインタフェース接続と、前記無線装置によってサポートされている少なくとも２つの電気通信システムに関連する少なくとも２つのアクセス手段への複数の接続を有する回路を提供し、
前記回路に少なくとも２つの状態の１つを設定し、ここで、各状態は、前記エアインタフェース接続と、前記複数の接続の１つの間を異なる減衰状態にする
ことを特徴とする方法。
【請求項１８】
前記回路は、前記エアインタフェース接続と、前記無線装置が接続状態にある前記少なくとも２つのシステムの内の１つのシステムに関連する前記アクセス手段への接続との間を低減衰状態にする
ことを特徴とする請求項１７に記載の方法。
【請求項１９】
前記回路は、前記エアインタフェース接続と、前記無線装置がアイドルモードにある前記少なくとも２つのシステムの内の１つのシステムの受信機への接続との間を低減衰状態にする
ことを特徴とする請求項１８に記載の方法。
【請求項２０】
前記回路は、接続モードの前記システムから、前記無線装置がアイドルモードにある前記少なくとも２つのシステムの内の１つのシステムの受信機への送信信号を減衰する
ことを特徴とする請求項１８に記載の方法。
【請求項２１】
前記少なくとも２つのシステムは、ＷＣＤＭＡシステムとＧＳＭシステムを備える
ことを特徴とする請求項１７に記載の方法。
【請求項２２】
前記ＷＣＤＭＡシステムに関連する受信機は、自動ゲイン制御（ＡＧＣ）を含み、かつ前記方法は、更に、前記無線装置が前記ＧＳＭシステムについての接続状態にある場合に、前記受信機の特性を変更する
ことを特徴とする請求項２１に記載の方法。
【請求項２３】
更に、前記少なくとも２つの電気通信システムの内の第２のシステムを介する通信を実行している状態で、前記少なくとも２つの電気通信システムの内の少なくとも第１のシステムを監視するステップを備える
ことを特徴とする請求項１７に記載の方法。
【請求項２４】
更に、接続モードにあるシステムによって前記回路を制御するステップを備える
ことを特徴とする請求項２１に記載の方法。
【手続補正２】
【補正対象書類名】明細書
【補正対象項目名】０００８
【補正方法】変更
【補正の内容】
【０００８】
従って、無線装置が別のシステムに関して接続モードにある状態で、その無線装置がアイドルモードにある１つ以上のシステムを監視する方法及び装置が必要とされており、また、送信ギャップを使用する必要がなく、かつエアインタフェース干渉を取るに足らないもの（negligible）にする方法及び装置が必要とされている。
米国特許出願第２００２／００９０９７４  Ａ１は、動作のモードを切り替える無線装置を教示している。この無線装置は、単一の規格（例えば、ＧＳＭ、ＣＤＭＡ、あるいはＴＤＭＡ）を利用する、この単一の規格は、異なる周波数帯域でデータを送受信する。この装置は、合成ＦＤＤ／ＴＤＤモード用の合成モードフィルタと、単一のＦＤＤあるいは単一のＴＤＤモード用の単一モードフィルタを含んでいる。このデバイスのスイッチは、異なるフィルタの切替を可能にする。


【国際調査報告】
2006500881.tif 000006
2006500881.tif 000007